(57)【要約】【課題】底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、片部を外箱部の外側側面部から容易に引き出すことができる包装箱を提供する。【解決手段】切目線１２４ａ、１２４ｂ、１２４ｄ等により形成される略コ字状の切目線における一部を切目線の代わりに開口部１２５として該開口部１２５に隣接した片部１２２が回動可能に形成され、分離部２４は、片部１２２と接着した分離部本体部２４ａと、開口部１２５の全体又は一部を内側から被覆する突出部２４ｂとを有している。【選択図】図３
0003147084.tif 000002
【実用新案登録請求の範囲】
【請求項１】
包装箱であって、
底面部と、底面部の各辺から立設し底面部に対して略直角をなす複数の内側側面部からなる内側スリーブ状部とを有し、上部が開口した内箱部で、少なくとも２つの内側側面部において、内側側面部の一部が分離部として内側側面部における分離部以外の部分である内側側面部本体部とミシン目を有する切目線を介して分離可能に形成された内箱部と、
内箱部を覆う外箱部で、内箱部の内側スリーブ状部を構成する各内側側面部に対応して各内側側面部の外側の面に沿って設けられた外側側面部を有する外側スリーブ状部と、外側スリーブ状部の上端から折れ線を介して連設された蓋部とを有し、内箱部における分離部が設けられた内側側面部に対応した外側側面部には、略コ字状の切目線における一対の端部とは反対側の部分を切目線の代わりに開口部とすることにより該開口部に隣接した片部が水平方向に回動可能に形成され、該片部の内側の面が分離部と接着されている外箱部と、
を有し、
該分離部が、該開口部の全部又は一部を内側から被覆して構成され、
開口部の位置から片部を外側に引き出した後に片部を水平方向に外側に回動させることにより、分離部が片部に接着した状態のまま内箱部から分離することを特徴とする包装箱。
【請求項２】
包装箱であって、
略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目を有する切目線を介して分離可能に形成され、１枚のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部には、略コ字状の切目線における一対の端部とは反対側の部分を切目線の代わりに開口部とすることにより該開口部に隣接した片部が水平方向に回動可能に形成され、該片部の内側の面が分離部と接着され、１枚のブランクにより形成された外箱部と、
を有し、
該分離部が、該開口部の全部又は一部を内側から被覆して構成され、
開口部の位置から片部を外側に引き出した後に片部を水平方向に外側に回動させることにより、分離部が片部に接着した状態のまま内箱部から分離することを特徴とする包装箱。
【請求項３】
内箱部の底面部が、内側背面部から連設された片部と、一対の内側側面部のそれぞれか連設された片部と、下側正面部から連設された片部とにより構成され、内側背面部と一対の内側側面部と内側正面部とからなる構成を全体に略平板状となるように折り畳むことにより、底面部も折り畳んだ状態となり、内箱部を折り畳んだ状態とすることができることを特徴とする請求項２に記載の包装箱。
【請求項４】
内箱部における分離部が、該内側側面部本体部と切目線を介して連設された分離部本体部と、分離部本体部から連設され該内側側面部本体部とは切込みにより分離して形成された突出部とを有し、該分離部本体部に片部が接着され、該突出部が、外箱部における開口部の全部又は一部を被覆していることを特徴とする請求項１又は２又は３に記載の包装箱。
【請求項５】
外箱部における片部が、横方向に直線状に形成された第１切目線と、第１切目線の端部から縦方向に直線状に形成された第２切目線と、第２切目線の下端から連設された略直角三角形状の開口部と、開口部の端部から横方向に第１切目線と平行に形成された第３切目線とにより形成され、該開口部の直角をなす辺部の一方が第２切目線の延長線上にあり、該開口部の直角をなす辺部の他方が第３切目線の延長線上にあることを特徴とする請求項１又は２又は３又は４に記載の包装箱。
【請求項６】
外箱部における片部において、片部の先端の近傍に第２切目線と平行に折れ線が設けられ、該折れ線から基端側の領域に分離部が接着されていることを特徴とする請求項５に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、複数の商品を集合して包装するとともに、店頭等に陳列する包装箱として、出願人は、特許文献１の包装箱について出願をしている。すなわち、特許文献１は、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の上端の領域の一部が分離部として他の部分とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、複数の外側側面部における少なくとも１つから連設された蓋部とを有し、内箱部における分離部が設けられた内側側面部に対応した外側側面部には、略コ字状の切込みが、該略コ字状の切込みにより形成された片部が水平方向に回動可能となるように形成され、該片部の内側の面が分離部と接着されている外箱部と、を有し、該略コ字状の切込みにより形成される片部を水平方向に外側に回動させることにより、分離部が片部に接着した状態のまま内箱部から分離することを特徴とするものである。
【０００３】
また、出願人は、特許文献２、特許文献３に記載の先行技術文献を知得している。
【特許文献１】実用新案登録第３１３９９４８号公報
【特許文献２】特開２００３−１２８０５１号公報
【特許文献３】特開２００３−１２８０５２号公報
【考案の開示】
【考案が解決しようとする課題】
【０００４】
しかし、上記特許文献１に記載の包装箱においては、分離部を内箱部から分離する際に回動させる片部が略コ字状の切込みにより形成されているので、片部を外側に引き出すのが困難であるという問題があった。特に、特許文献１に記載の包装箱においては、回動する片部に隣接する片部を押し込むことにより回動する片部の端部を外側に引き出しやすいように構成しているが、内箱部に収納されている商品が外箱部の側面部の内側に沿ってぴったり密接して収納されている場合には、回動する片部に隣接する片部を押し込むことができない場合があり、そのような場合には、回動する片部を外側に引き出すのが困難となる。
【０００５】
片部を外側に引き出すのが困難であると、分離部を内箱部から分離する操作に手間が掛かり、ひいては外箱部を内箱部から分離させて被収納物を収納した状態の内箱部を陳列するのに手間が掛かる。
【０００６】
そこで、本考案は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、片部を外箱部の外側側面部から容易に引き出すことができる包装箱を提供することを目的とする。
【課題を解決するための手段】
【０００７】
本考案は上記問題点を解決するために創作されたものであって、第１には、包装箱であって、底面部と、底面部の各辺から立設し底面部に対して略直角をなす複数の内側側面部からなる内側スリーブ状部とを有し、上部が開口した内箱部で、少なくとも２つの内側側面部において、内側側面部の一部が分離部として内側側面部における分離部以外の部分である内側側面部本体部とミシン目を有する切目線を介して分離可能に形成された内箱部と、内箱部を覆う外箱部で、内箱部の内側スリーブ状部を構成する各内側側面部に対応して各内側側面部の外側の面に沿って設けられた外側側面部を有する外側スリーブ状部と、外側スリーブ状部の上端から折れ線を介して連設された蓋部とを有し、内箱部における分離部が設けられた内側側面部に対応した外側側面部には、略コ字状の切目線における一対の端部とは反対側の部分を切目線の代わりに開口部とすることにより該開口部に隣接した片部が水平方向に回動可能に形成され、該片部の内側の面が分離部と接着されている外箱部と、を有し、該分離部が、該開口部の全部又は一部を内側から被覆して構成され、
開口部の位置から片部を外側に引き出した後に片部を水平方向に外側に回動させることにより、分離部が片部に接着した状態のまま内箱部から分離することを特徴とする。
【０００８】
この第１の構成の包装箱においては、蓋部を開けた状態として、包装箱の上方から複数の被収納物（商品）を内箱部内に収納する。その後、蓋部を閉状態にして、接着テープにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、片部を水平方向に外側に回動させることにより、同時に分離部を区画する切目線が破れて、分離部が内箱部から分離し、回動させた片部に接着した状態で片部に従動する。そして、外箱部を上方に引き上げることにより、被収納物を収納した状態で、かつ、分離部が分離した状態の内箱部が残るので、被収納物を内箱部に収納した状態で被収納物を陳列する。
【０００９】
よって、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。特に、外箱部において、片部が開口部に隣接して形成されているので、開口部に指を入れることにより片部を外側に引き出すのが容易であり、分離部を内箱部から分離する操作に手間が掛かることがなく、特に、内箱部に収納されている商品が外箱部の側面部の内側に沿ってぴったり密接して収納されている場合でも容易に片部を外箱部の外側側面部から容易に引き出すことができる。また、開口部の全部又は一部は分離部により内側から被覆されているので、開口部からゴミ等が入るおそれがない。
【００１０】
また、第２には、包装箱であって、略方形状の底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目を有する切目線を介して分離可能に形成され、１枚のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部には、略コ字状の切目線における一対の端部とは反対側の部分を切目線の代わりに開口部とすることにより該開口部に隣接した片部が水平方向に回動可能に形成され、該片部の内側の面が分離部と接着され、１枚のブランクにより形成された外箱部と、を有し、  該分離部が、該開口部の全部又は一部を内側から被覆して構成され、開口部の位置から片部を外側に引き出した後に片部を水平方向に外側に回動させることにより、分離部が片部に接着した状態のまま内箱部から分離することを特徴とする。
【００１１】
この第２の構成の包装箱においては、蓋部を開けた状態として、包装箱の上方から複数の被収納物（商品）を内箱部内に収納する。その後、蓋部を閉状態にして、接着テープにより蓋部を封止する。つまり、外箱部の外側正面部から上面を経て外側背面部側にまで接着テープを貼り付けることにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、片部を水平方向に外側に回動させることにより、同時に分離部を区画する切目線が破れて、分離部が内箱部から分離し、回動させた片部に接着した状態で片部に従動する。そして、外箱部を上方に引き上げることにより、被収納物を収納した状態で、かつ、分離部が分離した状態の内箱部が残るので、被収納物を内箱部に収納した状態で被収納物を陳列する。
【００１２】
よって、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。特に、外箱部において、片部が開口部に隣接して形成されているので、開口部に指を入れることにより片部を外側に引き出すのが容易であり、分離部を内箱部から分離する操作に手間が掛かることがなく、特に、内箱部に収納されている商品が外箱部の側面部の内側に沿ってぴったり密接して収納されている場合でも容易に片部を外箱部の外側側面部から容易に引き出すことができる。また、開口部の全部又は一部は分離部により内側から被覆されているので、開口部からゴミ等が入るおそれがない。
【００１３】
また、第３には、上記第１又は第２の構成において、内箱部の底面部が、内側背面部から連設された片部と、一対の内側側面部のそれぞれか連設された片部と、下側正面部から連設された片部とにより構成され、内側背面部と一対の内側側面部と内側正面部とからなる構成を全体に略平板状となるように折り畳むことにより、底面部も折り畳んだ状態となり、内箱部を折り畳んだ状態とすることができることを特徴とする。よって、内箱部を平板状に折り畳むことが可能となる。
【００１４】
また、第４には、上記第１から第３までのいずれかの構成において、内箱部における分離部が、該内側側面部本体部と切目線を介して連設された分離部本体部と、分離部本体部から連設され該内側側面部本体部とは切込みにより分離して形成された突出部とを有し、該分離部本体部に片部が接着され、該突出部が、外箱部における開口部の全部又は一部を被覆していることを特徴とする。よって、突出部は該内側側面部本体部と切込みを介して分離しており、分離部本体部のみが切目線を介して他の部分と連設されているので、分離部の分離を容易に行なうことができる。
【００１５】
また、第５には、上記第１から第４までのいずれかの構成において、外箱部における片部が、横方向に直線状に形成された第１切目線と、第１切目線の端部から縦方向に直線状に形成された第２切目線と、第２切目線の下端から連設された略直角三角形状の開口部と、開口部の端部から横方向に第１切目線と平行に形成された第３切目線とにより形成され、該開口部の直角をなす辺部の一方が第２切目線の延長線上にあり、該開口部の直角をなす辺部の他方が第３切目線の延長線上にあることを特徴とする。
【００１６】
また、第６には、上記第５の構成において、外箱部における片部において、片部の先端の近傍に第２切目線と平行に折れ線が設けられ、該折れ線から基端側の領域に分離部が接着されていることを特徴とする。よって、片部の折れ線よりも先端側を容易に外側に引き出すことができる。
【００１７】
なお、以下の構成としてもよい。すなわち、第７には、上記第２の構成において、外箱部における外側スリーブ状部を構成する各部の境界位置における少なくとも２つの境界位置には、下端から上方に伸びる切込み又は切欠が形成されていることを特徴とする。よって、外箱部を内箱部に対して容易に上方に引き上げることができる。
【００１８】
また、第８には、上記第２又は第３の構成において、上記外箱部における蓋部は、予め外側スリーブ状部から上方に立設して形成され、包装箱の上方が予め開口していることを特徴とする。
【００１９】
また、第９には、上記第２から第４までのいずれかの構成において、上記内箱部の底面部は、内側スリーブ状部を構成する部材（以下、内側スリーブ状部構成部材とする）である内側正面部と一対の内側側面部と内側背面部における各部の１つの下端から連設され、内箱部の内底面を形成する略四角形状の底面本体部と、底面本体部が連設された内側スリーブ状構成部材と相対する内側スリーブ状構成部材の下端から連設された副体部と、底面本体部が連設された内側スリーブ状構成部材と隣接する２つの内側スリーブ状構成部材の下端からそれぞれ連設された接続片部で、その一方が底面本体部に接着され、他方が副体部に接着されていて、内側スリーブ状部が略平板状になるように折り畳むことにより、底面本体部と副体部とが内側スリーブ状部内に４つの内側スリーブ状構成部材と略平行な状態となり、内箱部が全体に略平板状に折り畳むことができることを特徴とする。
【考案の効果】
【００２０】
本考案に基づく包装箱によれば、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。特に、外箱部において、片部が開口部に隣接して形成されているので、開口部に指を入れることにより片部を外側に引き出すのが容易であり、分離部を内箱部から分離する操作に手間が掛かることがない。また、開口部の全部又は一部は分離部により内側から被覆されているので、開口部からゴミ等が入るおそれがない。
【考案を実施するための最良の形態】
【００２１】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、片部を外箱部の外側側面部から容易に引き出すことができる包装箱を提供するという目的を以下のようにして実現した。
【００２２】
本考案に基づく包装箱Ａは、図１〜図８等に示すように構成され、図１、図３、図４、図１０、図１３等に示すように、内箱部Ａ１と、外箱部Ａ２とを有していて、それぞれが１枚のシート状のブランク（具体的には、段ボール、厚紙等）により形成されている。
【００２３】
なお、図６〜図８に示す展開図においては、折れ線は点線で示され、ミシン目等の切込み線は、折れ線よりも太い点線により示している。
【００２４】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００２５】
ここで、正面部１０は、方形状の上側に略方形状の切欠部１２が形成された凹状を呈し、上方が開口した略コ字状を呈している。
【００２６】
また、側面部２０は、正面部１０の正面視における右側の端部から折れ線を介して連設され、方形状における上側の一部を切り欠いた形状を呈し、その上端の縁部は、凹凸形状に形成され、正面側の端部においては、正面部１０における正面視右端の縁部と同じ高さに形成され、背面側の端部においては、背面部４０の上端の縁部の高さと同じに形成されている。この側面部２０は、本体部２２と、分離部２４とを有し、側面部２０の上端の領域の一部にミシン目Ｋ２と切込みＫ４と切込みＫ５とからなる境界線で区画することにより、本体部（内側側面部本体部）２２と、分離部２４とが形成されている。すなわち、ミシン目Ｋ２は、横方向（略水平方向）に略円弧状に形成され、切込みＫ４は、ミシン目Ｋ２の背面側の端部から垂直方向（つまり、水平方向（側面部２０の下辺の方向）に直角の方向）に直線状に形成され、切込みＫ５は、ミシン目Ｋ２の正面側の端部から水平方向に形成されている。つまり、分離部２４は、側面部２０の上端の領域の一部、すなわち、正面部側の端部から背面部側の端部にまでの上端の縁部に接する領域に形成され、本体部２２とミシン目Ｋ２を介して分離可能に形成されている。
【００２７】
分離部２４は、分離部本体部２４ａと突出部２４ｂとを有し、分離部本体部２４ａは、正面側と上面側と背面側が直線状に形成され、下面側が円弧状に形成されるとともに、背面側の上端に略直角三角形状の切欠部が形成されていて、全体に略方形状の下端に円弧状の切欠部が形成された形状となっている。分離部２４の上辺は水平方向に形成され、正面側と背面側の辺部は垂直方向に形成されている。つまり、分離部本体部２４ａの下辺はミシン目Ｋ２により形成され、分離部本体部２４ａの背面側の辺部は切込みＫ４により形成されている。突出部２４ｂは、分離部本体部２４ａの正面側の下端位置から折れ線２４−１（垂直方向の折れ線）を介して正面側に突出して形成され、略方形状を呈している。つまり、分離部本体部２４ａと突出部２４ｂ間には、垂直方向に折れ線が形成されている。突出部２４ｂの下辺は、切込みＫ５により形成されている。この突出部２４ｂは、後述する外箱部Ａ２の側面部１２０に設けられた開口部１２５の全部又は一部を内側から被覆することができるように開口部１２５の位置に設けられている。つまり、突出部２４ｂは、開口部１２５よりも大きく形成されている。なお、図７に示すように、分離部２４が片部１２２に接着され内箱部Ａ１と外箱部Ａ２とを一体にした状態では、突出部２４ｂの先端は、外箱部Ａ２の切込み１２４ｂよりも正面側とするのが好ましくこれにより、開口部１２５のなるべく広い面積を被覆することができる。
【００２８】
分離部２４の形状は、外箱部Ａ２の側面の片部１２２を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、ミシン目Ｋ２や切込みＫ４は水平方向（側面部２０の下辺の方向）に対して９０度以下に形成されている。例えば、図７に示すように、ミシン目Ｋ２の水平方向に対する角度α１、α２は９０度以下に形成され（特に、α２はマイナスの角度である）、また、切込みＫ４の水平方向に対する角度α３も９０度以下に形成されている。仮に、切込みＫ４の角度が９０度よりも大きくなってしまうと、分離部２４を本体部２２に対して上方に移動させる際に、本体部２２が支障となってしまうが、本実施例の場合にはそのようなおそれがない。
【００２９】
本体部２２は、側面部２０における分離部２４以外の部分であり、本体部２２の形状としては、上端の縁部が、ミシン目Ｋ２と切込みＫ４の境界を介して、略水平方向に形成された部分Ｆ１と、円弧状に立ち上がる部分Ｆ２とから構成されていて、全体に略Ｌ字状を呈し、その屈曲部の内側に分離部２４が形成されているといえる。この分離部２４の形成位置は、外箱部Ａ２の片部１２２の裏側の領域であり、分離部２４における分離部本体部２４ａは片部１２２の裏側に接着され、片部１２２を外側に回動させることにより、分離部２４も片部１２２の裏側に接着したままミシン目Ｋ２が破断されて、分離部２４が本体部２２から分離するように形成されている。分離部本体部２４ａは、片部本体部１２２ａ（後述）よりも小さく形成されていて、分離部本体部２４ａの外形が片部本体部１２２ａの外形よりもはみだすことがない。なお、分離部本体部２４ａの下端位置が片部本体部１２２ａの下端位置と略一致させることにより、突出部２４ｂが開口部１２５を内側から被覆することができる。なお、分離部２４と本体部２２との境界をなすミシン目Ｋ２と切込みＫ４と切込みＫ５は、上記切目線となる。
【００３０】
また、側面部３０は、正面部１０の正面視における左側の端部から折れ線を介して連設され、方形状における上側の一部を切り欠いた形状を呈し、本体部３２と、分離部３４とを有し、側面部３０の上端の領域の一部にミシン目Ｋ６と切込みＫ８と切込みＫ９とからなる境界線で区画することにより、本体部３２と、分離部３４とが形成されている。この側面部３０の構成は、側面部２０と前後方向に垂直な仮想的な平面である中心面を介して対称に形成されていて、本体部３２は本体部２２と対称に形成され、分離部３４は分離部２４と対称に形成されていることから詳しい説明を省略する。
【００３１】
なお、分離部３４は、分離部本体部３４ａと突出部３４ｂとを有し、分離部本体部３４ａは、正面側と上面側と背面側が直線状に形成されるとともに、下面側が円弧状に形成されていて、全体に略方形状の下端に円弧状の切欠部が形成された形状となっている。つまり、分離部本体部３４ａの下辺はミシン目Ｋ６により形成され、分離部本体部３４ａの背面側の辺部は切込みＫ８により形成されている。突出部３４ｂは、分離部本体部３４ａの正面側の下端位置から折れ線３４−１を介して正面側に突出して形成され、略方形状を呈している。突出部３４ｂの下辺は、切込みＫ９により形成されている。
【００３２】
また、分離部３４の形成位置は、外箱部Ａ２の片部１３２の裏側の領域であり、分離部３４における分離部本体部３４ａは片部１３２の裏側に接着され、片部１３２を外側に回動させることにより、分離部３４も片部１３２の裏側に接着したままミシン目Ｋ６が破断されて、分離部３４が本体部３２から分離するように形成されている。なお、分離部３４と本体部３２との境界をなすミシン目Ｋ６と切込みＫ８と切込みＫ９は、上記切目線となる。なお、分離部２４、３４において、折れ線２４−１、３４−１は省略してもよい。
【００３３】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００３４】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００３５】
また、底面部５０は、接続片部６０と、本体部７０と、副体部８０と、接続片部９０とを有し、包装箱Ａの組立て状態においては、図５に示すように、略方形状を呈している。ここで、接続片部６０は、正面部１０の下端から折れ線を介して連設され、先端側にいくほど幅狭となる略台形形状に形成されている。また、本体部７０は、側面部２０の下端から折れ線を介して連設され、略長方形状に形成され、本体部７０のその上面が内箱部Ａ１の内底面を形成している。また、本体部７０の角部（側面部２０と背面部４０の境界位置の角部）からは本体部７０の側面部２０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。本体部７０は、折れ線７０−１を介して本体部本体７２と先端部７４とに区画される。
【００３６】
また、副体部８０は、側面部３０の下端から折れ線を介して連設され、細長の長方形状の長手方向の一方の端部において側面部３０との境界線とは反対側に略台形状に突出させた形状を呈し、副体部８０の角部（側面部３０と正面部１０の境界位置の角部）からは副体部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、この折れ線８０−１を介して先端側が先端部８４を構成し、折れ線８０−１を介して基端側が基端部８２を構成する。この先端部８４は、図５に示すように、その上面側が、先端部８４の辺部８４ａが正面部１０と接続片部６０の境界線に対して平行になるように、接続片部６０の下面に接着されている。
【００３７】
また、接続片部９０は、背面部４０の下端から折れ線を介して連設され、略台形形状を呈し、この接続片部９０の角部（側面部２０と背面部４０の境界位置の角部）からは接続片部９０の背面部４０との境界をなす辺部に対して斜めに所定間隔で切込みが形成された（つまり、折曲しやすいように切込みが形成されている）折れ線９０−１（この折れ線９０−１は、上面側が山折れ線となっている）が形成され、この折れ線９０−１を介して先端側が先端部９４を構成し、折れ線９０−１を介して基端側が基端部９２を構成する。この先端部９４は、図５に示すように、その上面側が、先端部９４の辺部９４ａが側面部２０と本体部７０の境界線に対して平行になるように、本体部７０（特に、本体部本体７２）の下面に接着されている。
【００３８】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、本体部７０を上方に回動させて本体部７０が側面部２０に対して略平行になるようにすることにより、図１０に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００３９】
なお、正面部１０と側面部２０、３０と背面部４０は、請求項１における内側側面部を構成する。
【００４０】
次に、外箱部Ａ２は、内箱部Ａ１を覆う箱体であり、図１〜図４、図８等に示すように、スリーブ状部（外側スリーブ状部）１０５と、上面部１６０、１７０、１８０、１９０とを有していて、その展開状態は、図８に示すように形成されている。
【００４１】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００４２】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００４３】
また、側面部１２０は、正面部１１０の正面視における右側の端部から折れ線Ｋ１２を介して連設され、方形状を呈し、片部１２２と、開口部１２５が形成されている。
【００４４】
ここで、片部１２２は、横方向（側面部１２０の下辺と略平行な方向）に形成された直線状の第１切目線１２４ａと、第１切目線１２４ａの端部（右側面視における左側の端部）から下側に向けて縦方向（側面部１２０の下辺と略直角な方向）に形成された直線状の第２切目線１２４ｂと、第２切目線１２４ｂの下端に連設された開口部１２５における傾斜した辺部１２４ｃと、開口部１２５の背面側の端部から連設され横方向（側面部１２０の下辺と略平行な方向）に形成された直線状の第３切目線１２４ｄと、第１切目線１２４ａ及び第３切目線１２４ｄの第２切目線１２４ｂ側とは反対側の端部を結ぶ仮想上の直線により囲まれている。第１切目線１２４ａと第３切目線１２４ｄは、一部がミシン目状につながった切込みにより構成されている。
【００４５】
また、この片部１２２には、辺部１２４ｃの下端位置から垂直方向に伸びた折れ線１２６が設けられており、片部１２２における折れ線１２６よりも基端側が片部本体部１２２ａとなり、片部１２２における折れ線１２６よりも先端側が片部先端部１２２ｂとなる。
【００４６】
開口部１２５は、直角三角形を呈し、第２切目線１２４ｂの延長線となる辺部１２５ａと、第３切目線１２４ｄの延長線となる辺部１２５ｂと、上記辺部１２４ｃとで囲まれて形成されている。この開口部１２５は、指を入れて片部先端部１２２ｂを外側に起こすことができる大きさに形成されている。
【００４７】
ここで、第１切目線１２４ａと、第２切目線１２４ｂと、辺部１２５ａと、辺部１２５ｂと、第３切目線１２４ｄとで、略コ字状に形成されているといえる。
【００４８】
以上のように、側面部１２０には、略コ字状の切目線における一対の端部とは反対側の部分を切目線の代わりに開口部とすることにより片部１２２と開口部１２５が形成されているといえる。
【００４９】
なお、この側面部１２０の横幅は、内箱部Ａ１を外箱部Ａ２内に収納することができるように、側面部２０の横幅よりも若干大きく形成されている。
【００５０】
なお、正面部１１０と側面部１２０の境界位置には、所定間隔で切込みが形成された（つまり、折曲しやすいように切込みが形成されている）直線状の折れ線Ｋ１２が互いに平行に２本形成されている。また、側面部１２０と正面部１１０の間の位置における下側には、縦長の切欠部Ｋ１４が形成されている。
【００５１】
また、側面部１３０は、正面部１１０の正面視における左側の端部から折れ線Ｋ１６を介して連設され、方形状を呈していて、片部１３２と、開口部１３５が形成されている。
【００５２】
この側面部１３０の構成は、側面部１２０と前後方向に垂直な仮想的な平面である中心面を介して対称に形成されていて、片部１３２は、片部１２２と対称に形成され、開口部１３５は、開口部１２５と対称に形成されている。
【００５３】
すなわち、片部１３２は、横方向（側面部１３０の下辺と略平行な方向）に形成された直線状の第１切目線１３４ａと、第１切目線１３４ａの端部（左側面視における右側の端部）から下側に向けて縦方向（側面部１３０の下辺と略直角な方向）に形成された直線状の第２切目線１３４ｂと、第２切目線１３４ｂの下端に連設された開口部１３５における傾斜した辺部１３４ｃと、開口部１３５の背面側の端部から連設され横方向（側面部１３０の下辺と略平行な方向）に形成された直線状の第３切目線１３４ｄと、第１切目線１３４ａ及び第３切目線１３４ｄの第２切目線１３４ｂ側とは反対側の端部を結ぶ仮想上の直線により囲まれている。第１切目線１３４ａと第３切目線１３４ｄは、一部がミシン目状につながった切込みにより構成されている。
【００５４】
また、この片部１３２には、辺部１３４ｃの下端位置から垂直方向に伸びた折れ線１３６が設けられており、片部１３２における折れ線１３６よりも基端側が片部本体部１３２ａとなり、片部１３２における折れ線１３６よりも先端側が片部先端部１３２ｂとなる。
【００５５】
開口部１３５は、直角三角形を呈し、第２切目線１３４ｂの延長線となる辺部１３５ａと、第３切目線１３４ｄの延長線となる辺部１３５ｂと、上記辺部１３４ｃとで囲まれて形成されている。
【００５６】
ここで、第１切目線１３４ａと、第２切目線１３４ｂと、辺部１３５ａと、辺部１３５ｂと、第３切目線１３４ｄとで、略コ字状に形成されているといえる。
【００５７】
以上のように、側面部１３０には、略コ字状の切目線における一対の端部とは反対側の部分を切目線の代わりに開口部とすることにより片部１３２と開口部１３５が形成されているといえる。
【００５８】
なお、正面部１１０と側面部１３０の境界位置には、所定間隔で切込みが形成された（つまり、折曲しやすいように切込みが形成されている）直線状の折れ線Ｋ１６が形成されている。また、側面部１３０と正面部１１０の間の位置における下側には、縦長の切欠部Ｋ１８が形成されている。
【００５９】
また、背面部１４０は、側面部１２０の右側面視における右端から折れ線Ｋ２０を介して連設され、方形状を呈している。この背面部１４０の横幅は、内箱部Ａ１を外箱部Ａ２内に収納することができるように、背面部４０の横幅よりも若干大きく形成されている。
【００６０】
なお、側面部１２０と背面部１４０の境界位置には、所定間隔で切込みが形成された（つまり、折曲しやすいように切込みが形成されている）直線状の折れ線Ｋ２０が形成されている。
【００６１】
また、糊代部１４２は、背面部１４０の背面視における右端から折れ線（所定間隔で切込みが形成された（つまり、折曲しやすいように切込みが形成されている）直線状の２本の互いに平行な折れ線Ｋ２２）を介して連設され、縦方向に細長の帯状台形形状を呈している。この糊代部１４２は、図２に示すように、その内側の面が側面部１３０の外側の面に接着されている。
【００６２】
また、正面部１１０と側面部１２０、１３０と背面部１４０の縦幅は同一に形成されていて、内箱部Ａ１の縦幅と同一又は若干大きく形成されている。
【００６３】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。また、外箱部Ａ２の展開状態においては、図８に示すように、上面部１６０〜１９０における隣接した上面部においては、隙間Ｋ２４、Ｋ２６、Ｋ２８が形成されている。なお、蓋部としての上面部１６０〜１９０はスリーブ状部１０５の上端の各辺から連設されているが、少なくとも１つの上面部から連設されていればよい。
【００６４】
なお、正面部１１０と側面部１２０、１３０と背面部１４０は、請求項１における外側側面部を構成する。
【００６５】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６６】
次に、内箱部Ａ１と外箱部Ａ２とは、分離部２４、３４の箇所で互いに接着されている。つまり、分離部本体部２４ａの外側の面と片部１２２の内側の面とが接着剤その他の接着手段により接着されるとともに、分離部本体部３４ａの外側の面と片部１３２の内側の面とが接着剤その他の接着手段により接着されることにより、包装箱Ａが全体に一体に形成される。つまり、分離部本体部２４ａの外側の面の全部又は一部の領域と片部本体部１２２ａの内側の面の間には接着剤層（図示せず）が設けられていて、同様に、分離部本体部３４ａの外側の面の全部又は一部の領域と片部本体部１３２ａの内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部本体部２４ａの下側のミシン目Ｋ２が破れて、分離部２４が内箱部Ａ１から分離し、回動させた片部１２２に接着した状態で片部１２２に従動するように設定されていて、同様に、外箱部Ａ２の片部１３２を外側に回動させた際に、同時に分離部本体部３４ａの下側のミシン目Ｋ６が破れて、分離部３４が内箱部Ａ１から分離し、回動させた片部１３２に接着した状態で片部１３２に従動するように設定されている。
【００６７】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０及び開口部１２５、１３５の内側部分以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０及び開口部１２５、１３５の内側部分のみが露出している。
【００６８】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図９に示すように平板状に折り畳むことができる。
【００６９】
上記構成の包装箱Ａの使用状態について説明する。包装箱Ａを使用しない状況では、上記のように包装箱Ａは平板状に折り畳むことができるので、折り畳んで保管しておく。
【００７０】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００７１】
そして、図１１に示すように、包装箱Ａの上方から複数の被収納物（商品）Ｇを内箱部Ａ１内に収納する。図１１は、箱状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の正面部１１０から上面を経て背面部１４０側にまで接着させることにより、上面部１６０〜１９０を封止する（図１２参照）。
【００７２】
以上のようにして、被収納物を包装箱Ａに包装したら、被収納物Ｇを収納した包装箱Ａを被収納物Ｇを陳列する場所に搬送する。
【００７３】
その後、被収納物を陳列する場合には、外箱部Ａ２を内箱部Ａ１から分離する。すなわち、開口部１２５の位置に指を入れた後に片部１２２における片部先端部１２２ｂに指を係止させ、片部先端部１２２ｂを外側に引き出す。その際、折れ線１２６が設けられているので、容易に片部先端部１２２ｂを外側に引き出すことができる。その後は、片部先端部１２２ｂをさらに外側に引き出すことにより、図１３に示すように、片部１２２を回動させることができる。つまり、横方向に形成された第１切目線１２４ａと第３切目線１２４ｄの第２切目線１２４ｂが設けられている側とは反対側の端部間を結ぶ直線状の折れ線（側面部１２０の下辺に対して垂直方向の直線）が回動軸となって片部１２２が水平方向に回動する。
【００７４】
また、開口部１３５の位置に指を入れた後に片部１３２における片部先端部１３２ｂに指を係止させ、片部先端部１３２ｂを外側に引き出す。その際、折れ線１３６が設けられているので、容易に片部先端部１３２ｂを外側に引き出すことができる。その後は、片部先端部１３２ｂをさらに外側に引き出すことにより、片部１３２が回動させることができる。
【００７５】
なお、片部１２２、１３２が回動する際の回動軸となる折れ線の箇所には、罫線を形成しておかなくても片部１２２、１３２を回動させることにより自然と折れ線が形成されるが、予め該折れ線の箇所に罫線を形成しておいてもよい。
【００７６】
すると、外箱部Ａ２の片部１２２を外側に回動させた際に、同時に分離部本体部２４ａの下側のミシン目Ｋ２が破れて、分離部２４が内箱部Ａ１から分離し、回動させた片部１２２に接着した状態で片部１２２に従動する。同様に、外箱部Ａ２の片部１３２を外側に回動させた際に、同時に分離部本体部３４ａの下側のミシン目Ｋ６が破れて、分離部３４が内箱部Ａ１から分離し、回動させた片部１３２に接着した状態で片部１３２に従動する。なお、突出部２４ｂ、３４ｂと本体部２２、２４とは切込みを介して分離しており、分離部本体部２４ａ、３４ａのみが切目線を介して本体部２２、２４と連設されているので、分離部の分離を容易に行なうことができる。
【００７７】
そして、図１４に示すように、外箱部Ａ２を上方に引き上げることにより、被収納物を収納した状態で、かつ、分離部２４、３４が分離した状態の内箱部Ａ１が残るので、被収納物を内箱部Ａ１に収納した状態で被収納物を陳列する。なお、外箱部Ａ２には、切欠部Ｋ１４、Ｋ１８が設けられていて、正面部１１０や側面部１２０、１３０の下端が外側と内側間を移動する余裕があるので、外箱部Ａ２を容易に引き上げることができる。また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【００７８】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００７９】
また、本実施例の包装箱Ａによれば、、片部１２２、１３２を外側に回動させて、分離部２４、３４を内箱部Ａ１から分離して外箱部Ａ２を上方に引き上げるのみで陳列することができるので、陳列作業を容易に行なうことができる。特に、本実施例においては、外箱部Ａ２の側面部１２０、１３０に開口部１２５、１３５が形成されているので、回動する片部１２２、１３２を外側に引き出しやすく、容易に片部１２２、１３２を回動させることができ、特に、内箱部に収納されている商品が外箱部の側面部の内側に沿ってぴったり密接して収納されている場合でも容易に片部を外箱部の外側側面部から容易に引き出すことができる。
【００８０】
また、外箱部Ａ２の側面部１２０、１３０に開口部１２５、１３５が形成されているが、開口部１２５、１３５の全部又は一部を内側から被覆する突出部２４ｂ、３４ｂが設けられているので、開口部１２５、１３５からゴミ等が入るおそれがない。
【００８１】
また、特に、本実施例の包装箱Ａにおいては、片部１２２、１３２が外箱部Ａ２の側面部１２０、１３０の下端位置よりも上側に設けられ、特に、片部１２２、１３２は、スリーブ状部１０５の下端の縁部に対して垂直方向の回動軸を中心に水平方向に回動するので、商品が収納された収納物を持ち上げて搬送する際に、誤って片部１２２、１３２を回動させてしまうことがない。つまり、仮に、分離部と接着した片部で、回動させるための片部をスリーブ状部１０５の下端から上方に伸びる平行な切込みにより形成した場合には、包装箱Ａを持ち上げる際に該片部の位置を手に持って持ち上げると、誤って 該片部を回動させてしまい、内箱部Ａ１と外箱部Ａ２とを分離させてしまうおそれがあるが、本実施例の包装箱Ａの外箱部Ａ２における片部１２２、１３２は上記のように構成されているので、そのようなおそれがない。
【００８２】
なお、上記の説明において、外箱部Ａ２においては、スリーブ状部１０５を構成する正面部１１０と側面部１２０の境界位置に切欠部Ｋ１４が設けられ、正面部１１０と側面部１３０の境界位置に切欠部Ｋ１８が設けられているとして説明したが、同様の構成の切欠部を側面部１２０と背面部１４０の境界位置や側面部１３０と背面部１４０の境界位置に設けるようにしてもよい。なお、少なくとも、外箱部Ａ２におけるスリーブ状部１０５を構成する各部（正面部１１０と、側面部１２０、１３０と、背面部１４０）の境界位置における少なくとも２つの境界位置に切欠部を設ければ、少なくともスリーブ状部１０５を構成する各部のうちの３つの下端において外側と内側間を移動する余裕ができるので、外箱部Ａ２を内箱部Ａ１に対して容易に引き上げることができる。また、スリーブ状部１０５を構成する各部の境界位置の切欠部は、切込みであってもよい。
【００８３】
また、内箱部Ａ１の底面部５０において、接続片部６０が正面部１０から連設され、接続片部９０が背面部４０から連設されているとしたが、逆に、接続片部６０が背面部４０から連設され、接続片部９０が正面部１０から連設された構成としてもよい。また、本体部７０が側面部２０から連設され、副体部８０が側面部３０から連設されているとしたが、逆に、本体部７０が側面部３０から連設され、副体部８０が側面部２０から連設された構成としてもよい。
【００８４】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【図面の簡単な説明】
【００８５】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】図１のＰ−Ｐ線における断面図である。
【図５】本考案の実施例に基づく包装箱の底面図である。
【図６】内箱部の展開図である。
【図７】図６における要部説明図である。
【図８】外箱部の展開図である。
【図９】包装箱を折り畳んだ状態を示す斜視図である。
【図１０】包装箱を折り畳んだ際の内箱部の折り畳み状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【符号の説明】
【００８６】
Ａ 包装箱
Ａ１ 内箱部
Ａ２ 外箱部
５、１０５ スリーブ状部
１０、１１０ 正面部
２０、３０、１２０、１３０ 側面部
２２、３２ 本体部
２４、３４ 分離部
２４ａ、３４ａ  分離部本体部
２４ｂ、３４ｂ  突出部
４０、１４０ 背面部
４２、１４２ 糊代部
５０ 底面部
６０、９０ 接続片部
７０ 本体部
８０ 副体部
１２２、１３２  片部
１２４ａ、１３４ａ 第１切目線
１２４ｂ、１３４ｂ 第２切目線
１２４ｄ、１３４ｄ 第３切目線
１２５、１３５  開口部
１２４ｃ、１２５ａ、１２５ｂ、１３４ｃ、１３５ａ、１３５ｂ  辺部
１６０、１７０、１８０、１９０ 上面部
【図１】
0003147084.tif 000003
【図２】
0003147084.tif 000004
【図３】
0003147084.tif 000005
【図４】
0003147084.tif 000006
【図５】
0003147084.tif 000007
【図６】
0003147084.tif 000008
【図７】
0003147084.tif 000009
【図８】
0003147084.tif 000010
【図９】
0003147084.tif 000011
【図１０】
0003147084.tif 000012
【図１１】
0003147084.tif 000013
【図１２】
0003147084.tif 000014
【図１３】
0003147084.tif 000015
【図１４】
0003147084.tif 000016